(57)【特許請求の範囲】
【請求項１】
発光源を異にする２つの色光を少なくとも含む白色光を射出する光源装置を備える照明装置と、
前記照明装置からの照明光を複数の色光に分離する色光分離手段と、
前記色光分離手段からの前記複数の色光を画像情報に応じて変調する光変調装置と、
光量モニターと、
前記投写画像の色バランス調整を行う制御部と、
前記光変調装置からの変調光を投写画像として投写する投写光学系と、を備え、
前記光源装置は、前記発光源として、青色光を射出する青色固体光源と、前記青色光の一部を赤色光及び緑色光を含む蛍光に変換して射出する蛍光層とを有し、
前記光量モニターは、前記青色光の光量を測定して第１光量として出力し、前記蛍光に含まれる少なくとも１つの色光の光量を測定して第２光量として出力し、
前記第２光量の強度は前記第１光量の強度よりも弱く、
前記制御部は、前記光量モニターにより出力された前記第１光量と前記第２光量に基づいて、前記第２光量が一定になるように前記光源装置の発光量を制御するとともに、前記光変調装置による前記第１光量の変調量を制御することを特徴とするプロジェクター。
【請求項２】
請求項１に記載のプロジェクターにおいて、
前記蛍光層は、前記青色光により励起されたときに前記赤色光を含む蛍光を射出する赤色蛍光体と、前記青色光により励起されたときに前記緑色光を含む蛍光を射出する緑色蛍光体とを含有することを特徴とするプロジェクター。
【請求項３】
請求項１に記載のプロジェクターにおいて、
前記蛍光層は、前記青色光により励起されたときに前記赤色光、前記緑色光及び黄色光を含む前記蛍光を射出する黄色蛍光体を含有し、
前記青色光と前記赤色光と前記緑色光とは前記光変調装置に入射し、
前記黄色光は前記光量モニターに入射し、
前記光量モニターは、前記黄色光の光量を測定して前記第２光量として出力することを特徴とするプロジェクター。
【請求項４】
請求項１〜３のいずれかに記載のプロジェクターにおいて、
前記光変調装置は、前記赤色光、前記緑色光及び前記青色光のそれぞれを変調する複数の光変調装置からなり、
前記光量モニターは、前記青色光の光量を測定して前記第１光量として出力する第１光量モニターと、前記蛍光に含まれる少なくとも１つの色光の光量を測定して前記第２光量として出力する第２光量モニターとを有することを特徴とするプロジェクター。
【請求項５】
請求項１または２に記載のプロジェクターにおいて、
前記光変調装置は、単一の時分割駆動方式の光変調装置からなり、
前記色光分離手段は、前記照明装置から射出される前記照明光を時分割方式により分離して少なくとも前記複数の色光を生成する回転式カラーホイールからなり、
前記光量モニターは、前記青色光が前記光変調装置に照射されているときには前記青色光の光量を測定して前記第１光量として出力し、前記蛍光に含まれる少なくとも１つの色光が前記光変調装置に照射されているときには、当該少なくとも１つの色光の光量を測定して前記第２光量として出力することを特徴とするプロジェクター。 
【請求項６】
発光源を異にする２つの色光を少なくとも含む白色光を射出する光源装置を備える照明装置と、
前記照明装置からの照明光を複数の色光に分離する色光分離手段と、
前記色光分離手段からの前記複数の色光を画像情報に応じて変調する光変調装置と、
前記光変調装置からの変調光を投写画像として投写する投写光学系と、を備え、
前記光源装置は、前記発光源として、青色光を射出する青色固体光源と、前記青色光の一部を赤色光及び緑色光を含む蛍光に変換して射出する蛍光層とを有し、
前記青色光の光量を第１光量とし、前記蛍光に含まれる少なくとも１つの色光の光量を第２光量としたとき、該第２光量の強度は該第１光量の強度よりも弱いプロジェクターにおける投写画像の色バランス調整方法であって、
前記第１光量として前記青色光の光量を測定し、前記第２光量として前記蛍光に含まれる少なくとも１つの色光の光量を測定する光量測定ステップと、
前記光量測定ステップにおいて測定された前記第１光量と前記第２光量に基づいて、前記第２光量が一定になるように前記光源装置の発光量を制御するとともに、前記光変調装置による前記第１光量の変調量を制御することにより、投写画像の色バランス調整を行う色バランス調整ステップと、を含むことを特徴とするプロジェクターにおける投写画像の色バランス調整方法。
【発明の詳細な説明】
【技術分野】
【０００１】
本発明は、プロジェクター及びプロジェクターにおける投写画像の色バランス調整方法に関する。
【背景技術】
【０００２】
従来、青色光を射出する青色固体光源と、青色光の一部を赤色光及び緑色光を含む蛍光に変換する蛍光層とを有し、照明光として白色光を射出する白色固体光源装置が知られている。また、当該白色固体光源装置を備える照明装置と、当該照明装置からの照明光を複数の色光に分離する色光分離手段と、当該色光分離手段からの複数の色光を画像情報に応じて変調する光変調装置と、当該光変調装置からの変調光を投写画像として投写する投写光学系とを備えるプロジェクターが知られている（例えば、特許文献１参照。）。
【０００３】
従来のプロジェクターによれば、単色光を射出する固体光源（青色固体光源）を用いながらもフルカラーの投写画像を投写することが可能となる。
【先行技術文献】
【特許文献】
【０００４】
【特許文献１】特開２００８−２６８６３９号公報
【発明の概要】
【発明が解決しようとする課題】
【０００５】
しかしながら、従来のプロジェクターにおいては、白色固体光源装置から射出される、発光源を異にする２つの色光（青色固体光源を発光源とする「青色光」及び蛍光層を発光源とする「赤色光又は緑色光」）の光量（「青色光の光量」及び「赤色光の光量又は緑色光の光量」）が時間の経過とともに様々な要因（例えば、温度変化、経時劣化など。これによって、青色固体光源の発光強度や発光波長が変化したり、蛍光層の発光効率が変化したりする。）によってそれぞれ異なった変化の仕方で変化するため、時間の経過とともにプロジェクターにおける投写画像の色バランスが悪くなるという問題がある。
【０００６】
そこで、本発明は、上記した問題を解決するためになされたもので、時間の経過とともに投写画像の色バランスが悪くなることのないプロジェクターを提供することを目的とする。また、時間の経過とともに投写画像の色バランスが悪くなることのない、プロジェクターにおける投写画像の色バランス調整方法を提供することを目的とする。
【課題を解決するための手段】
【０００７】
［１］本発明のプロジェクターは、発光源を異にする２つの色光を少なくとも含む白色光を射出する光源装置を備える照明装置と、前記照明装置からの照明光を複数の色光に分離する色光分離手段と、前記色光分離手段からの前記複数の色光を画像情報に応じて変調する光変調装置と、光量モニターと、前記投写画像の色バランス調整を行う制御部と、前記光変調装置からの変調光を投写画像として投写する投写光学系と、を備え、前記光源装置は、前記発光源として、青色光を射出する青色固体光源と、前記青色光の一部を赤色光及び緑色光を含む蛍光に変換して射出する蛍光層とを有し、前記光量モニターは、前記青色光の光量を測定して第１光量として出力し、前記蛍光に含まれる少なくとも１つの色光の光量を測定して第２光量として出力し、前記第２光量の強度は前記第１光量の強度よりも弱く、前記制御部は、前記光量モニターにより出力された前記第１光量と前記第２光量に基づいて、前記第２光量が一定になるように前記光源装置の発光量を制御するとともに、前記光変調装置による前記第１光量の変調量を制御することを特徴とする。
【０００８】
このため、本発明のプロジェクターによれば、発光源を異にする２つの色光のそれぞれについて測定して得られる光量情報に基づいて、光源装置の発光量及び光変調装置の変調量を制御することにより投写画像の色バランス調整を行う制御部を備えるため、時間の経過とともに上記した２つの色光の光量がそれぞれ異なった変化の仕方によって変化したとしても、投写画像の色バランスが悪くなることがなくなる。
【０００９】
［２］本発明のプロジェクターにおいては、前記第２光量の強度は前記第１光量の強度よりも弱く、前記制御部は、前記第１光量と前記第２光量との比率に基づいて、前記光変調装置における前記青色光の変調量を制御してもよい。
【００１１】
［３］本発明のプロジェクターにおいては、前記蛍光層は、前記青色光により励起されたときに前記赤色光を含む蛍光を射出する赤色蛍光体と、前記青色光により励起されたときに前記緑色光を含む蛍光を射出する緑色蛍光体とを含有してもよい。
【００１２】
蛍光層が上記のような蛍光層である場合においても、「青色固体光源を発光源 
とする色光（青色光）」及び「蛍光層を発光源とする色光（［ａ］赤色光、［ｂ］緑色光又は［ｃ］これらが混合された色光）」のそれぞれについて測定して得られる光量情報に基づいて、光源装置の発光量及び光変調装置の変調量を制御することにより投写画像の色バランス調整を行うことが可能となる。
【００１３】
［４］本発明のプロジェクターにおいては、前記蛍光層は、前記青色光により励起されたときに前記赤色光、前記緑色光及び黄色光を含む前記蛍光を射出する黄色蛍光体を含有し、前記青色光と前記赤色光と前記緑色光とは前記光変調装置に入射し、前記黄色光は前記光量モニターに入射し、前記光量モニターは、前記黄色光の光量を測定して前記第２光量として出力してもよい。
【００１４】
蛍光層が上記のような蛍光層である場合においても、「青色固体光源を発光源とする色光（青色光）」及び「蛍光層を発光源とする色光（［ａ］赤色光、［ｂ］緑色光、［ｃ］黄色光又は［ｄ］これらが混合された色光）」のそれぞれについて測定して得られる光量情報に基づいて、光源装置の発光量及び光変調装置の変調量を制御することにより投写画像の色バランス調整を行うことが可能となる。
【００１５】
［５］本発明のプロジェクターにおいては、前記光変調装置は、前記赤色光、前記緑色光及び前記青色光のそれぞれを変調する複数の光変調装置からなり、前記光量モニターは、前記青色光の光量を測定して前記第１光量として出力する第１光量モニターと、前記蛍光に含まれる少なくとも１つの色光の光量を測定して前記第２光量として出力する第２光量モニターとを有してもよい。
【００１６】
プロジェクターが３板式のプロジェクターである場合においては、上記のように構成することにより、青色光について測定された第１光量と、蛍光層から射出される光に含まれる少なくとも１つの色光（例えば、［ａ］赤色光、［ｂ］緑色光、［ｃ］黄色光又は［ｄ］これらが適宜混合された色光）について測定された第２光量との比率に基づいて光源装置の発光量及び光変調装置の変調量を制御することにより投写画像の色バランス調整を行うことが可能となる。
【００１７】
［６］本発明のプロジェクターにおいては、前記光変調装置は、単一の時分割駆動方式の光変調装置からなり、前記色光分離手段は、前記照明装置から射出される前記照明光を時分割方式により分離して少なくとも前記複数の色光を生成する回転式カラーホイールからなり、前記光量モニターは、前記青色光が前記光変調装置に照射されているときには前記青色光の光量を測定して前記第１光量として出力し、前記蛍光に含まれる少なくとも１つの色光が前記光変調装置に照射されているときには、当該少なくとも１つの色光の光量を測定して前記第２光量として出力してもよい。
【００１８】
プロジェクターが単一の時分割駆動方式の光変調装置を備えるプロジェクターである場合においては、上記のように構成することにより、青色光について測定された第１光量と、蛍光層から射出される光に含まれる少なくとも１つの色光（例えば、［ａ］赤色光、［ｂ］黄色光、［ｃ］緑色光又は［ｄ］これらが適宜混合された色光）について測定された第２光量との比率に基づいて光源装置の発光量及び光変調装置の変調量を制御することにより投写画像の色バランス調整を行うことが可能となる。
【００１９】
［７］本発明のプロジェクターにおける投写画像の色バランス調整方法は、発光源を異にする２つの色光を少なくとも含む白色光を射出する光源装置を備える照明装置と、
前記照明装置からの照明光を複数の色光に分離する色光分離手段と、
前記色光分離手段からの前記複数の色光を画像情報に応じて変調する光変調装置と、
前記光変調装置からの変調光を投写画像として投写する投写光学系と、を備え、
前記光源装置は、前記発光源として、青色光を射出する青色固体光源と、前記青色光の一部を赤色光及び緑色光を含む蛍光に変換して射出する蛍光層とを有し、
前記青色光の光量を第１光量とし、前記蛍光に含まれる少なくとも１つの色光の光量を第２光量としたとき、該第２光量の強度は該第１光量の強度よりも弱いプロジェクターにおける投写画像の色バランス調整方法であって、
前記第１光量として前記青色光の光量を測定し、前記第２光量として前記蛍光に含まれる少なくとも１つの色光の光量を測定する光量測定ステップと、
前記光量測定ステップにおいて測定された前記第１光量と前記第２光量に基づいて、前記第２光量が一定になるように前記光源装置の発光量を制御するとともに、前記光変調装置による前記第１光量の変調量を制御することにより、投写画像の色バランス調整を行う色バランス調整ステップと、を含むことを特徴とする。
【００２０】
このため、本発明のプロジェクターにおける投写画像の色バランス調整方法によれば、発光源を異にする２つの色光のそれぞれについて測定して得られる光量情報に基づいて、光源装置の発光量及び光変調装置の変調量を制御することにより投写画像の色バランス調整を行うことが可能となるため、時間の経過とともに上記した２つの色光の光量がそれぞれ異なった変化の仕方によって変化したとしても、投写画像の色バランスが悪くなることがなくなる。
【００２１】
［８］本発明のプロジェクターにおける投写画像の色バランス調整方法は、前記第２光量の強度は前記第１光量の強度よりも弱く、前記色バランス調整ステップにおいて、前記第１光量と前記第２光量との比率に基づいて、前記光変調装置における前記青色光の変調量を制御してもよい。
【図面の簡単な説明】
【００２３】
【図１】実施形態１に係るプロジェクター１０００の光学系を示す平面図。
【図２】実施形態１における固体光源装置２０の断面図。
【図３】実施形態１における固体光源２４の発光強度特性及び蛍光体の発光強度特性を示すグラフ。
【図４】実施形態１に係るプロジェクター１０００の制御系を示すブロック図。
【図５】実施形態１に係るプロジェクター１０００における制御部８００の動作原理を説明するために示すグラフ。
【図６】実施形態１に係るプロジェクター１０００における投写画像の色バランス調整方法を示すフローチャート。
【図７】実施形態２に係るプロジェクター１００２を説明するために示す図。
【図８】実施形態２における各蛍光体の発光強度特性を示すグラフ。
【図９】実施形態２に係るプロジェクター１００２の制御系を示すブロック図。
【図１０】変形例に係るプロジェクター１００４の光学系を示す平面図。
【図１１】変形例２に係るプロジェクター１００６（図示せず。）における制御部８０２の動作原理を説明するために示すグラフ。
【発明を実施するための形態】
【００２４】
以下、本発明のプロジェクターについて、図に示す実施の形態に基づいて説明する。
【００２５】
［実施形態１］
図１は、実施形態１に係るプロジェクター１０００の光学系を示す平面図である。
図２は、実施形態１における固体光源装置２０の断面図である。
図３は、実施形態１における固体光源２４の発光強度特性及び蛍光体の発光強度特性を示すグラフである。図３（ａ）は固体光源２４の発光強度特性を示すグラフであり、図３（ｂ）は蛍光層２６が含有する黄色蛍光体の発光強度特性を示すグラフである。発光強度特性とは、固体光源であれば電圧を印加したときに、蛍光体であれば励起光が入射したときに、どのような波長の光をどの位の強度で射出するのかという特性のことをいう。グラフの縦軸は相対発光強度を表し、発光強度が最も強い波長における発光強度を１としている。グラフの横軸は、波長を表す。
図４は、実施形態１に係るプロジェクター１０００の制御系を示すブロック図である。
なお、図１、図３及び図４において、符号Ｒは赤色光を示し、符号Ｇは緑色光を示し、符号Ｂは青色光を示し、符号Ｙは黄色光を示す。
【００２６】
まず、実施形態１に係るプロジェクター１０００の構成を説明する。
実施形態１に係るプロジェクター１０００は、図１及び図４に示すように、照明装置１０と、色分離導光光学系２００と、３つの液晶光変調装置４００Ｒ，４００Ｇ，４００Ｂと、クロスダイクロイックプリズム５００と、投写光学系６００と、光量モニター７００と、制御部８００とを備える。
以降、プロジェクター１０００の構成を（ア）プロジェクター１０００の光学系（主に照明装置１０、色分離導光光学系２００、３つの液晶光変調装置４００Ｒ，４００Ｇ，４００Ｂ、クロスダイクロイックプリズム５００及び投写光学系６００）と、（イ）プロジェクター１０００の制御系（主に光量モニター７００及び制御部８００）とに分けて説明する。
【００２７】
（ア）プロジェクター１０００の光学系
照明装置１０は、固体光源装置２０と、コリメート光学系３０と、ロッドインテグレーター光学系４０とを備える。
【００２８】
固体光源装置２０は、発光源を異にする色光（後述する青色光及び蛍光）を含む光を射出する光源装置である。具体的には、固体光源装置２０は、図２に示すように、基台２２、固体光源２４、蛍光層２６及び封止部材２８を有する発光ダイオードであり、赤色光、緑色光、青色光及び黄色光を含む白色光を射出する白色固体光源装置である（図３（ａ）及び図３（ｂ）参照。）。なお、固体光源装置２０は、上記した構成要素の他にもリード線等を有するが、図示及び説明を省略する。
【００２９】
基台２２は、固体光源２４を搭載する基台である。
固体光源２４は、主励起光として青色光（発光強度のピーク：約４６０ｎｍ、図３（ａ）参照。）を射出する青色固体光源である。固体光源２４は、窒化ガリウムを主成分とし、ｐｎ接合型の構造を有する。なお、固体光源はｐｎ接合型の構造を有していなくてもよく、ダブルヘテロ接合型、量子井戸接合型等の構造を有してもよい。
固体光源２４と基台２２との間には反射層（図示せず。）が形成されており、固体光源２４から基台２２側へ射出された青色光は、反射層によって蛍光層２６側へ反射される。
【００３０】
蛍光層２６は、青色光の一部を赤色光及び緑色光を含む蛍光に変換して射出する蛍光層である。蛍光層２６は、青色光により励起されたときに赤色光、緑色光及び黄色光を含む蛍光を射出する黄色蛍光体を含有する層からなり、固体光源２４の被照明領域側に配置されている。黄色蛍光体は、ＹＡＧ系蛍光体の（Ｙ，Ｇｄ）３（Ａｌ，Ｇａ）５Ｏ１２：Ｃｅからなる。なお、黄色蛍光体は、上記以外の蛍光体からなるものであってもよく、例えば、上記以外のＹＡＧ系蛍光体、シリケート系蛍光体、ＴＡＧ系蛍光体等からなるものであってもよい。
蛍光層２６は、固体光源２４が射出する青色光をそれぞれ蛍光である赤色光（発光強度のピーク：約６１０ｎｍ）、緑色光（発光強度のピーク：約５４０ｎｍ）及び黄色光（発光強度のピーク：約５８０ｎｍ）に変換して射出する（図３（ｂ）参照。）。
【００３１】
封止部材２８は、透明なエポキシ樹脂からなり、固体光源２４及び蛍光層２６を保護する。
【００３２】
コリメート光学系３０は、図１に示すように、固体光源装置２０からの光の拡がり角を抑える凸メニスカスレンズからなる第１レンズ３２と、第１レンズ３２からの光を略平行化する凸レンズからなる第２レンズ３４とを備え、全体として、固体光源装置２０からの光を略平行化する機能を有する。なお、コリメート光学系は、１枚のレンズのみを備えてもよいし、３枚以上のレンズを備えてもよい。要するに、コリメート光学系は、全体として固体光源装置２０からの光を略平行化する機能を有すればよい。
【００３３】
ロッドインテグレーター光学系４０は、凸レンズ４２、インテグレーターロッド４４及び凸レンズ４６を備える。
凸レンズ４２は、コリメート光学系３０からの平行光を集光してインテグレーターロッド４４の入射面に導光する。
インテグレーターロッド４４は、中実の柱状ロッドであり、入射面から入射した光を内面で多重反射することによって均一化し、面内光強度分布が均一化した光を射出面から射出する。なお、インテグレーターロッドとしては、中実の柱状ロッドに代えて、中空の柱状ロッドを用いることもできる。
凸レンズ４６は、インテグレーターロッド４４の射出面から射出された光を略平行化して、当該光を液晶光変調装置４００Ｒ，４００Ｇ，４００Ｇにおける画像形成領域に導光する。
なお、ロッドインテグレーター光学系の代わりに複数のレンズアレイ及び重畳レンズを備えるレンズインテグレーター光学系を用いることもできる。
【００３４】
色分離導光光学系２００は、ダイクロイックミラー２１０，２３０，２４０、部分透過ミラー２２０、反射ミラー２５０及びリレーレンズ２６０，２７０を備える。色分離導光光学系２００は、照明装置１０からの光を赤色光、緑色光、青色光及び黄色光に分離し、赤色光、緑色光及び青色光のそれぞれの色光を照明対象となる液晶光変調装置４００Ｒ，４００Ｇ，４００Ｂに導光する機能を有する。つまり、色分離導光光学系２００は、色光分離手段としての機能を有する。
【００３５】
ダイクロイックミラー２１０，２３０，２４０は、基板上に、所定の波長領域の光を反射して、他の波長領域の光を通過させる波長選択透過膜が形成されたミラーである。
ダイクロイックミラー２１０は、赤色光、緑色光及び黄色光を反射して、青色光を通過させる。
ダイクロイックミラー２３０は、緑色光を反射して、赤色光及び黄色光を通過させる。
ダイクロイックミラー２４０は、赤色光を反射して、黄色光を通過させる。
部分透過ミラー２２０は、基本的にはダイクロイックミラーと同様の構成を有するが、入射した青色光のうち大部分を反射し、一部を通過させる。
反射ミラー２５０は、赤色光を反射する。
【００３６】
ダイクロイックミラー２１０で反射された赤色光は、ダイクロイックミラー２３０を通過し、さらに、リレーレンズ２６０、ダイクロイックミラー２４０、リレーレンズ２７０、反射ミラー２５０を経て赤色光用の液晶光変調装置４００Ｒの画像形成領域に入射する。リレーレンズ２６０，２７０、ダイクロイックミラー２４０及び反射ミラー２５０は、ダイクロイックミラー２３０を通過した赤色光成分を液晶光変調装置４００Ｒまで導く機能を有する。
ダイクロイックミラー２１０で反射された緑色光は、ダイクロイックミラー２３０でさらに反射され、緑色光用の液晶光変調装置４００Ｇの画像形成領域に入射する。
ダイクロイックミラー２１０を通過した青色光は、部分透過ミラー２２０によってその大部分が反射され、青色光用の液晶光変調装置４００Ｂの画像形成領域に入射する。部分透過ミラー２２０を通過した一部の青色光は、第１光量モニター７１０（後述）に入射する。
ダイクロイックミラー２１０で反射された黄色光は、ダイクロイックミラー２３０、リレーレンズ２６０、ダイクロイックミラー２４０を順に通過して、第２光量モニター７２０（後述）に入射する。
【００３７】
なお、赤色光の光路にこのようなリレーレンズ２６０，２７０が設けられているのは、赤色光の光路の長さが他の色光の光路の長さよりも長いため、光の発散等による光の利用効率の低下を防止するためである。実施形態１に係るプロジェクター１０００においては、赤色光の光路の長さが長いのでこのような構成とされているが、青色光の光路の長さを長くして、リレーレンズ２６０，２７０を青色光の光路に用いる構成も考えられる。
【００３８】
液晶光変調装置４００Ｒ，４００Ｇ，４００Ｂは、入射した色光を画像情報に応じて変調してカラー画像を形成するものであり、照明装置１０の照明対象となる。なお、図示を省略したが、反射ミラー２５０と液晶光変調装置４００Ｒとの間、ダイクロイックミラー２３０と液晶光変調装置４００Ｇとの間及び部分透過ミラー２２０と液晶光変調装置４００Ｂとの間には、それぞれ入射側偏光板が介在配置され、各液晶光変調装置４００Ｒ，４００Ｇ，４００Ｂとクロスダイクロイックプリズム５００との間には、それぞれ射出側偏光板が介在配置される。これら入射側偏光板、液晶光変調装置４００Ｒ，４００Ｇ，４００Ｂ及び射出側偏光板によって、入射した各色光の光変調が行われる。
液晶光変調装置４００Ｒ，４００Ｇ，４００Ｂは、一対の透明なガラス基板に電気光学物質である液晶を密閉封入した透過型の液晶光変調装置であり、例えば、ポリシリコンＴＦＴをスイッチング素子として、与えられた画像信号に応じて、入射側偏光板から射出された１種類の直線偏光の偏光方向を変調する。
プロジェクター１０００は、３つの液晶光変調装置を備えるため、所謂３板式のプロジェクターとなる。
【００３９】
クロスダイクロイックプリズム５００は、射出側偏光板から射出された色光毎に変調された光学像を合成してカラー画像を形成する光学素子である。このクロスダイクロイックプリズム５００は、４つの直角プリズムを貼り合わせた平面視略正方形状をなし、直角プリズム同士を貼り合わせた略Ｘ字状の界面には、誘電体多層膜が形成されている。略Ｘ字状の一方の界面に形成された誘電体多層膜は、赤色光を反射するものであり、他方の界面に形成された誘電体多層膜は、青色光を反射するものである。これらの誘電体多層膜によって赤色光及び青色光は曲折され、緑色光の進行方向と揃えられることにより、３つの色光が合成される。
【００４０】
クロスダイクロイックプリズム５００から射出されたカラー画像は、投写光学系６００によって拡大投写され、スクリーンＳＣＲ上で画像を形成する。
【００４１】
（イ）プロジェクター１０００の制御系
光量モニター７００は、図４に示すように、青色光の光量を測定する第１光量モニター７１０と、蛍光層から射出される光に含まれる黄色光の光量を測定する第２光量モニター７２０とを有する。第１光量モニター７１０は、測定した青色光の光量を第１光量として出力する。第２光量モニター７２０は、測定した黄色光の光量を第２光量として出力する。光量モニター７００は、第１光量及び第２光量を光量情報として出力する。
【００４２】
制御部８００は、固体光源装置２０の発光量を制御する光源装置制御部８１０と、青色光用の液晶光変調装置４００Ｂの変調量を制御する光変調装置制御部８２０とを有する。制御部８００は、光量モニター７００により出力された青色光の光量情報及び黄色光の光量情報に基づいて、固体光源装置２０の発光量及び液晶光変調装置４００Ｂの変調量を制御することにより投写画像の色バランス調整を行う。具体的には、制御部８００は、第１光量モニター７１０から出力される第１光量と第２光量モニター７２０から出力される第２光量との比率を算出し、第１光量と第２光量との比率に基づいて、固体光源装置２０の発光量及び液晶光変調装置４００Ｂの変調量を制御する。この場合において、変調量の制御とは、投写画像の色バランスが取れるように液晶光変調装置４００Ｂの変調量を制御することをいう。従って、画像ソースとしての全白画像を投写画面に表示したときには、表示画像としての全白画像が表示されることになる。
【００４３】
なお、制御部８００は、第２光量（黄色光の光量）の値が一定になるように固体光源装置２０の発光量（固体光源２４の青色光の発光量）を制御する（以下、当該発光量の制御のことをＡＰＣ（オートパワーコントロール）ということにする。）とともに、第１光量（青色光の光量）と第２光量（黄色光の光量）との比率に基づいて、液晶光変調装置４００Ｂの変調量を制御する。黄色光、赤色光及び緑色光は同一の発光源（蛍光層２６）から射出されるため、黄色光の光量、赤色光の光量及び緑色光の光量は同様の傾向をもって変化する。このため、第２光量（黄色光の光量）の値が一定になるように固体光源装置２０の発光量を制御することにより、赤色光の光量及び緑色光の光量も一定となる。その結果、残りの青色光について変調量の制御を行えば、色バランス調整を行うことができるようになる。
【００４４】
以下、制御部８００の動作原理について、図５を用いて詳しく説明する。
図５は、実施形態１に係る係るプロジェクター１０００における制御部８００の動作原理を説明するために示すグラフである。図５（ａ）及び図５（ｂ）は固体光源装置２０を点灯したときに固体光源２４の発光強度（青色光の発光強度）及び蛍光層２６の発光強度（緑色光、黄色光又は赤色光の発光強度）がどのように変化するかを示す図であり、図５（ｃ）は固体光源装置２０を点灯して投写画面に全白画像を投写したときに投写画面における各色光（青色光、緑色光及び赤色光）の輝度がどのように変化するかを示す図である。図５（ａ）は制御部８００が固体光源装置２０における発光量の調整を行っていないときの発光強度を示し、図５（ｂ）は制御部８００が固体光源装置２０における発光量の調整を行い、液晶光変調装置４００Ｂにおける変調量の調整を行っていないときの発光強度を示し、図５（ｃ）は制御部８００が固体光源装置２０における発光量の調整及び液晶光変調装置４００Ｂにおける変調量の調整をともに行っているときの輝度を示す。なお、図５（ａ）〜図５（ｃ）において、グラフの縦軸は点灯直後における発光強度又は輝度を１としたときの相対発光強度又は相対輝度を示し、グラフの横軸は点灯からの時間を表す。なお、点灯直後においては色バランスが取れているものとする。また、図５（ａ）及び図５（ｂ）において、符号Ｂは固体光源２４の発光強度（青色光）を示し、符号Ｙは蛍光層２６の発光強度（黄色光）を示す。図５（ｃ）において、符号Ｒ，Ｇ，Ｂはそれぞれ投写画面における青色光、緑色光及び赤色光の輝度を示す。
【００４５】
１．制御部８００が固体光源装置２０における発光量の調整を行っていないとき
実施形態１に係るプロジェクター１０００においては、図５（ａ）に示すように、固体光源装置２０を点灯してからの時間が経過するに従って、固体光源２４の発光強度（青色光の発光強度）及び蛍光層２６の発光強度（緑色光、黄色光又は赤色光の発光強度）もともに徐々に低下する傾向にある。このとき、蛍光層２６の発光強度（緑色光、黄色光又は赤色光の発光強度）は、固体光源２４の発光強度（青色光の発光強度）よりも強く低下する傾向にある。これは、固体光源装置２０を点灯してからの時間が経過するに従って固体光源装置２０の温度が上昇することに起因するものと推測される。
【００４６】
従って、この場合、固体光源装置２０を点灯して投写画面に全白画像を投写したとしても、固体光源装置２０を点灯してからの時間が経過するに従って、色バランスが徐々に劣化する（青っぽくなる）。また、投写画面全体の明るさも徐々に低下する。
【００４７】
２．制御部８００が固体光源装置２０における発光量の調整を行い、液晶光変調装置４００Ｂにおける変調量の調整を行っていないとき
この場合、制御部８００は、蛍光層２６の発光強度（緑色光、黄色光又は赤色光の発光強度）の値が一定になるように固体光源装置２０の発光量を制御するため、図５（ｂ）に示すように、固体光源装置２０を点灯してからの時間が経過しても、蛍光層２６の発光強度（緑色光、黄色光又は赤色光の発光強度）は一定となる。一方、固体光源２４の発光強度（青色光の発光強度）は、図５（ｂ）に示すように、固体光源装置２０を点灯してからの時間が経過するに従って増大することとなる。
【００４８】
従って、この場合、投写画面全体の明るさの低下は是正される（投写画像の明るさは徐々に増大するようになる）が、色バランスの劣化は是正されない。
【００４９】
３．制御部８００が固体光源装置２０における発光量の調整及び液晶光変調装置４００Ｂにおける変調量の調整をともに行っているとき
この場合、制御部８００は、蛍光層２６の発光強度（緑色光、黄色光又は赤色光の発光強度）の値が一定になるように固体光源装置２０の発光量を制御し、さらには、液晶光変調装置４００Ｂにおける青色光の変調量を制御しているため、図５（ｃ）に示すように、固体光源装置２０を点灯してからの時間が経過しても、投写画面における各色光（青色光、緑色光及び赤色光）の輝度は変化しない。
【００５０】
従って、この場合、投写画面全体の明るさは常に一定となり、また、色バランスの劣化も起こらない。
【００５１】
よって、実施形態１に係るプロジェクター１０００によれば、上記のような制御部８００を備えるため、時間の経過とともに２つの色光（「固体光源を発光源とする色光」及び「蛍光層を発光源とする色光」）の光量がそれぞれ異なった変化の仕方によって変化したとしても、投写画像の色バランスが悪くなることがなくなる。
【００５２】
次に、実施形態１に係るプロジェクター１０００における投写画像の色バランス調整方法を説明する。図６は、実施形態１に係るプロジェクター１０００における投写画像の色バランス調整方法を示すフローチャートである。
【００５３】
実施形態１に係るプロジェクター１０００における投写画像の色バランス調整方法は、図６に示すように、光量測定ステップＳ１と色バランス調整ステップＳ２とを含む。  
【００５４】
Ａ．光量測定ステップＳ１
光量測定ステップＳ１は、２つの色光（青色光及び黄色光）の光量（第１光量及び第２光量）を測定して光量情報として出力するステップである。光量測定ステップＳ１は、光量モニター７００（第１光量モニター７１０及び第２光量モニター７２０）によって行われる。
【００５５】
Ｂ．色バランス調整ステップＳ２
色バランス調整ステップＳ２は、光量測定ステップＳ１において出力された青色光の光量（第１光量）及び黄色光の光量（第２光量）を含む光量情報に基づいて、固体光源装置２０の発光量及び液晶光変調装置４００Ｂの変調量を制御することにより投写画像の色バランス調整を行うステップである。具体的には、第１光量と第２光量との比率を算出し、当該第１光量と第２光量との比率に基づいて、固体光源装置２０の発光量及び液晶光変調装置４００Ｂの変調量を制御する。色バランス調整ステップＳ２は、制御部８００によって行われる。
【００５６】
実施形態１に係るプロジェクター１０００における投写画像の色バランス調整方法においては、まず、光量測定モニターが例えば１分毎に光量測定ステップＳ１を実施する。次に、制御部が、得られた光量情報に基づいて色バランス調整ステップＳ２を実施する。
【００５７】
なお、光量測定ステップＳ１を実施するタイミングは１分毎に限定されるものではなく、例えば１フレーム毎、１秒毎、１０分毎など任意に定めることができる。
【００５８】
次に、実施形態１に係るプロジェクター１０００の効果及び実施形態１に係るプロジェクター１０００における投写画像の色バランス調整方法の効果を説明する。
【００５９】
実施形態１に係るプロジェクター１０００によれば、発光源を異にする２つの色光（青色光及び黄色光）のそれぞれについて測定して得られる光量情報に基づいて、固体光源装置２０の発光量及び液晶光変調装置４００Ｂの変調量を制御することにより投写画像の色バランス調整を行う制御部８００を備えるため、時間の経過とともに上記した２つの色光の光量がそれぞれ異なった変化の仕方によって変化したとしても、投写画像の色バランスが悪くなることがなくなる。
【００６０】
また、実施形態１に係るプロジェクター１０００によれば、固体光源装置２０が発光源として、青色光を射出する固体光源２４と、青色光の一部を赤色光及び緑色光を含む蛍光に変換して射出する蛍光層２６とを有し、青色光と蛍光とを含む白色光を射出する白色固体光源装置である場合においても、「固体光源２４を発光源とする色光（青色光）」及び「蛍光層２６を発光源とする色光（黄色光）」のそれぞれについて測定して得られる光量情報に基づいて、固体光源装置２０の発光量及び液晶光変調装置４００Ｂの変調量を制御することにより投写画像の色バランス調整を行うことが可能となる。
【００６１】
また、実施形態１に係るプロジェクター１０００によれば、蛍光層２６が青色光により励起されたときに赤色光、緑色光及び黄色光を含む蛍光を射出する黄色蛍光体を含有する蛍光層である場合においても、「固体光源２４を発光源とする色光（青色光）」及び「蛍光層２６を発光源とする色光（黄色光）」のそれぞれについて測定して得られる光量情報に基づいて、固体光源装置２０の発光量及び液晶光変調装置４００Ｂの変調量を制御することにより投写画像の色バランス調整を行うことが可能となる。
【００６２】
また、実施形態１に係るプロジェクター１０００によれば、光変調装置が液晶光変調装置４００Ｒ，４００Ｇ，４００Ｂからなり、光量モニター７００が第１光量モニター７１０と第２光量モニター７２０とを有し、制御部８００は、第１光量モニター７１０から出力される第１光量と第２光量モニター７２０から出力される第２光量との比率を算出し、第１光量と第２光量との比率に基づいて、固体光源装置２０の発光量及び液晶光変調装置４００Ｂの変調量を制御するため、第１光量と第２光量との比率に基づいて固体光源装置２０の発光量及び液晶光変調装置４００Ｂの変調量を制御することにより投写画像の色バランス調整を行うことが可能となる。
【００６３】
また、実施形態１に係るプロジェクター１０００によれば、制御部８００が第２光量の値が一定になるように固体光源装置２０の発光量を制御するとともに、第１光量と第２光量との比率に基づいて、青色光用の液晶光変調装置４００Ｂの変調量を制御するため、時間の経過とともに投写画像の明るさが変動することがなくなる。また、制御部８００は変調量の制御を青色光のみについて行えばよくなるため、変調量の制御を容易に行うことができるようになる。
【００６４】
実施形態１に係るプロジェクター１０００における投写画像の色バランス調整方法によれば、光量測定ステップＳ１と、色バランス調整ステップＳ２とを含むため、発光源を異にする２つの色光（青色光及び黄色光）のそれぞれについて測定して得られる光量情報に基づいて、固体光源装置２０の発光量及び液晶光変調装置４００Ｂの変調量を制御することにより投写画像の色バランス調整を行うことが可能となるため、時間の経過とともに上記した２つの色光の光量がそれぞれ異なった変化の仕方によって変化したとしても、投写画像の色バランスが悪くなることがなくなる。
【００６５】
［実施形態２］
図７は、実施形態２に係るプロジェクター１００２を説明するために示す図である。図７（ａ）は実施形態２に係るプロジェクター１００２の光学系を示す平面図であり、図７（ｂ）は回転式カラーホイール２０２を示す正面図である。
図８は、実施形態２における各蛍光体の発光強度特性を示すグラフである。図８（ａ）は蛍光層２７が含有する赤色蛍光体の発光強度特性を示すグラフであり、図８（ｂ）は蛍光層２７が含有する緑色蛍光体の発光強度特性を示すグラフである。
図９は、実施形態２に係るプロジェクター１００２の制御系を示すブロック図である。
なお、図７〜図９において、符号Ｒは赤色光を示し、符号Ｇは緑色光を示し、符号Ｂは青色光を示す。
【００６６】
実施形態２に係るプロジェクター１００２は、基本的には実施形態１に係るプロジェクター１０００と同様の構成を有するが、照明装置、色光分離手段、光変調装置及び光量モニターの構成が実施形態１に係るプロジェクター１０００とは異なる。また、それに伴って、制御部の構成が異なる点、さらに、リレー光学系を備える点が実施形態１に係るプロジェクター１０００とは異なる。
以下、プロジェクター１００２の構成を説明する。なお、実施形態１と同様の事項に関しては、説明を適宜省略する。
【００６７】
照明装置１２は、図７（ａ）に示すように、固体光源装置２１と、コリメート光学系３０と、集光レンズ４８とを備える。
固体光源装置２１は、基本的には実施形態１における固体光源装置２０と同様の構成を有するが、蛍光層２７（図示せず。）の構成が異なる。蛍光層２７は、青色光により励起されたときに赤色光を含む蛍光を射出する赤色蛍光体と、青色光により励起されたときに緑色光を含む蛍光を射出する緑色蛍光体とを含有する層からなる。赤色蛍光体は、例えばＣａＡｌＳｉＮ３赤色蛍光体からなる。緑色蛍光体は、例えばβサイアロン緑色蛍光体からなる。なお、各蛍光体は上記したものに限定されるものではなく、固体光源からの光により各色光を射出するものであれば他の蛍光体を用いることもできる。
蛍光層２７は、固体光源２４が射出する青色光をそれぞれ蛍光である赤色光（発光強度のピーク：約６４０ｎｍ）及び緑色光（発光強度のピーク：約５４０ｎｍ）に変換して射出する（図８（ａ）及び図８（ｂ）参照。）。
【００６８】
集光レンズ４８は、コリメート光学系３０からの平行光を集光し、回転式カラーホイール２０２（後述）を介してインテグレーターロッド５０の入射面に導光する。
【００６９】
回転式カラーホイール２０２は、照明装置１２から射出される照明光を時分割方式により分離して赤色光、緑色光及び青色光を生成する色光分離手段であり、カラーホイール駆動装置２８０によって回転駆動される。カラーホイール駆動装置２８０は、例えば、モーターを有し、当該モーターによって回転式カラーホイール２０２を回転駆動する。
回転式カラーホイール２０２は、図７（ａ）に示すように、インテグレーターロッド５０の入射面の直前に配設されている。
回転式カラーホイール２０２は、図７（ｂ）に示すように、赤色光を通過させる赤色通過領域２０４Ｒと、緑色光を通過させる緑色光通過領域２０４Ｇと、青色光を通過させる青色光通過領域２０４Ｂとが周方向に沿って配列された構造を有する。各通過領域は、各通過領域が射出する所定の色光以外の色光を反射又は吸収することによって、所定の色光を通過させる。回転式カラーホイール２０２は、上記の各色光通過領域により、照明装置１２からの白色光を赤色光、緑色光及び青色光からなる色光列として、時分割方式により分離して射出する。
【００７０】
インテグレーターロッド５０は、中実の柱状ロッドであり、入射面から入射した各色光を内面で多重反射することによって均一化し、面内光強度分布が均一化した各色光を射出面から射出する。なお、インテグレーターロッドとしては、中実の柱状ロッドに代えて、中空の柱状ロッドを用いることもできる。
【００７１】
リレー光学系６０は、図７（ａ）に示すように、リレーレンズ６２、部分透過ミラー６４及びフィールドレンズ６６を有する。リレー光学系６０は、インテグレーターロッド５０からの色光列を、マイクロミラー型光変調装置４０２に導光する。
リレーレンズ６２は、インテグレーターロッド５０から射出される色光列を、マイクロミラー型光変調装置４０２の画像変調領域に結像するように集光する。
部分透過ミラー６４は、入射した色光列のうち大部分をマイクロミラー型光変調装置４０２の方向へ向けて反射し、一部を通過させる。なお、部分透過ミラー６４を通過した色光列は、光量モニター７０２（後述）に入射する。
フィールドレンズ６６は、詳しい説明は省略するが、部分透過ミラー６４からの色光列をマイクロミラー型光変調装置４０２に導光するとともに、マイクロミラー型光変調装置４０２からの色光列を投写光学系６０２に導光するためのレンズである。
【００７２】
マイクロミラー型光変調装置４０２は、単一の時分割駆動方式の光変調装置であり、具体的には、リレー光学系６０からの色光列を画像情報に応じて各画素に対応するマイクロミラーにより反射し、投写光学系６０２へ向けて射出する機能を有する反射方向制御型光変調装置である。マイクロミラー型光変調装置４０２は、詳しい説明は省略するが、インテグレーターロッド５０の射出面と共役な位置に配設される。
【００７３】
投写光学系６０２は、マイクロミラー型光変調装置４０２からの投写画像を表す色光列を外部のスクリーンＳＣＲに投写画像として投写する。マイクロミラー型光変調装置４０２と投写光学系６０２とは、それぞれの中心軸が一致するように配置されている。
【００７４】
なお、スクリーンＳＣＲ上では、赤色の投写画像と、緑色の投写画像と、青色の投写画像とが切り替わりながら順次投写されることになるが、これらの切り替わりの速さが十分に速いため、人間の目にはカラー画像として認識される。
【００７５】
光量モニター７０２は、図９に示すように、固体光源２４から射出される青色光がマイクロミラー型光変調装置４０２に照射されているときには青色光の光量を測定して第１光量として出力し、蛍光層から射出される蛍光に含まれる赤色光が前記光変調装置に照射されているときには赤色光の光量を測定して第２光量として出力する。
【００７６】
制御部８０４は、固体光源装置２１の発光量を制御する光源装置制御部８１０と、マイクロミラー型光変調装置４０２の変調量を制御する光変調装置制御部８２２とを有する。制御部８０２は、第１光量モニターから出力される第１光量と第２光量との比率を算出し、第１光量と第２光量との比率に基づいて、固体光源装置２１の発光量及びマイクロミラー型光変調装置４０２の変調量を制御する。
【００７７】
以下、実施形態２に係るプロジェクター１００２の効果を説明する。
【００７８】
上記のように、実施形態２に係るプロジェクター１００２は、照明装置、色光分離手段、光変調装置、光量モニター等の構成が実施形態１に係るプロジェクター１０００とは異なるが、発光源を異にする２つの色光（青色光及び赤色光）のそれぞれについて測定して得られる光量情報に基づいて、固体光源装置２１の発光量及びマイクロミラー型光変調装置４０２の変調量を制御することにより投写画像の色バランス調整を行う制御部８０２を備えるため、実施形態１に係るプロジェクター１０００と同様に、時間の経過とともに上記した２つの色光の光量がそれぞれ異なった変化の仕方によって変化したとしても、投写画像の色バランスが悪くなることがなくなる。
【００７９】
また、実施形態２に係るプロジェクター１００２によれば、蛍光層２７が、青色光により励起されたときに赤色光を含む蛍光を射出する赤色蛍光体と、青色光により励起されたときに緑色光を含む蛍光を射出する緑色蛍光体とを含有する蛍光層である場合においても、「固体光源２４を発光源とする色光（青色光）」及び「蛍光層２７を発光源とする赤色光」のそれぞれについて測定して得られる光量情報に基づいて、固体光源装置２１の発光量及びマイクロミラー型光変調装置４０２の変調量を制御することにより投写画像の色バランス調整を行うことが可能となる。
【００８０】
以上、本発明を上記の実施形態に基づいて説明したが、本発明は上記の実施形態に限定されるものではない。その趣旨を逸脱しない範囲において種々の様態において実施することが可能であり、例えば、次のような変形も可能である。
【００８１】
（１）上記実施形態１においては、蛍光層２６を発光源とする色光の光量として黄色光の光量を測定したが、本発明はこれに限定されるものではない。図１０は、変形例１に係るプロジェクター１００４の光学系を示す平面図である。図１０中、符号２５２は、赤色光のうち大部分を反射し一部分を透過させ部分透過ミラーを示す。本発明のプロジェクターにおいては、変形例１に係るプロジェクター１００４のように、蛍光層を発光源とする色光の光量として赤色光を測定してもよい。また、蛍光層を発光源とする色光として、緑色光の光量を測定してもよいし、赤色光や緑色光等が混合された色光の光量を測定してもよい。このような構成のプロジェクターにおいては、黄色光を射出しない発光源を使用することもできる。
【００８２】
（２）上記実施形態１においては、蛍光層２６の発光強度（緑色光、黄色光又は赤色光の発光強度）が、固体光源２４の発光強度（青色光の発光強度）よりも強く低下する傾向にある場合を例にとって本発明を説明したが、本発明はこれに限定されるものではない。
【００８３】
図１１は、変形例２に係るプロジェクター１００６（図示せず。）における制御部８０４の動作原理を説明するために示すグラフである。変形例２に係るプロジェクター１００６においては、固体光源２４の発光強度（青色光の発光強度）が、蛍光層２６の発光強度（緑色光、黄色光又は赤色光の発光強度）よりも強く低下する傾向にあるものとする。図１１（ａ）及び図１１（ｂ）は固体光源装置２０を点灯したときに固体光源２４の発光強度（青色光の発光強度）及び蛍光層２６の発光強度（緑色光、黄色光又は赤色光の発光強度）がどのように変化するかを示す図であり、図１１（ｃ）は固体光源装置２０を点灯して投写画面に全白画像を投写したときに投写画面における各色光（青色光、緑色光及び赤色光）の輝度がどのように変化するかを示す図である。図１１（ａ）は制御部８０４が固体光源装置２０における発光量の調整を行っていないときの発光強度を示し、図１１（ｂ）は制御部８０４が固体光源装置２０における発光量の調整を行い、液晶光変調装置４００Ｂにおける変調量の調整を行っていないときの発光強度を示し、図１１（ｃ）は制御部８０４が固体光源装置２０における発光量の調整及び液晶光変調装置４００Ｂにおける変調量の調整をともに行っているときの輝度を示す。なお、図１１（ａ）〜図１１（ｃ）において、グラフの縦軸は点灯直後における発光強度又は輝度を１としたときの相対発光強度又は相対輝度を示し、グラフの横軸は点灯からの時間を表す。なお、点灯直後においては固体光源２４の発光強度（青色光の発光強度）が、蛍光層２６の発光強度（緑色光、黄色光又は赤色光の発光強度）よりも相対的に強いものとする。また、図１１（ａ）及び図１１（ｂ）において、符号Ｂは固体光源２４の発光強度（青色光）を示し、符号Ｙは蛍光層２６の発光強度（黄色光）を示す。図１１（ｃ）において、符号Ｒ，Ｇ，Ｂはそれぞれ投写画面における青色光、緑色光及び赤色光の輝度を示す。
【００８４】
本発明においては、変形例２に係るプロジェクター１００６の場合のように、固体光源２４の発光強度（青色光の発光強度）が、蛍光層２６の発光強度（緑色光、黄色光又は赤色光の発光強度）よりも強く低下する傾向にある場合であっても、点灯直後において、固体光源２４の発光強度（青色光の発光強度）が、蛍光層２６の発光強度（緑色光、黄色光又は赤色光の発光強度）よりも相対的に強くなるようにするとともに、これに応じて制御部８０４が青色光についての変調量の制御を行うことにより、図１１に示すように、実施形態１に係るプロジェクター１０００の場合と同様に、色バランス調整を行うことができるようになる。
【００８５】
（３）上記実施形態２においては、蛍光層２７を発光源とする色光の光量として赤色光の光量を測定したが、本発明はこれに限定されるものではない。蛍光層を発光源とする色光の光量として、緑色光の光量を測定してもよい。また、赤色光の光量及び緑色光の光量をそれぞれ測定し、これらの平均値を第２光量として用いることとしてもよい。
【００８６】
（４）上記実施形態１においては、蛍光層２６が赤色光、緑色光及び黄色光を含む蛍光を射出する黄色蛍光体を含有するが、本発明はこれに限定されるものではない。例えば、蛍光層が赤色光を射出する赤色蛍光体と、緑色光を射出する緑色蛍光体とを含有してもよい。また、実施形態２においては、蛍光層２７が赤色光を射出する赤色蛍光体と、緑色光を射出する緑色蛍光体とを含有するが、本発明はこれに限定されるものではない。例えば、蛍光層が赤色光、緑色光及び黄色光を含む蛍光を射出する黄色蛍光体を含有してもよい。
【００８７】
（５）上記各実施形態においては、発光源を異にする２つの色光を少なくとも含む光を射出する光源装置として、固体光源２４及び蛍光層２６を有する発光ダイオードからなる固体光源装置２０を用いたが、本発明はこれに限定されるものではない。固体光源及び蛍光層を有する半導体レーザー、固体光源及び蛍光層を有する有機発光ダイオードなどを用いてもよい。また、固体光源以外の光源（例えば、高圧水銀灯、ハロゲンランプ等）及び蛍光層を有する光源装置を用いてもよい。
【００８８】
（６）上記各実施形態においては、発光源を異にする２つの色光を少なくとも含む光を射出する光源装置として、固体光源２４及び蛍光層２６を有する発光ダイオードからなる固体光源装置２０を用いたが、本発明はこれに限定されるものではない。例えば、２種類の固体光源を有する光源装置を用いてもよい。また、固体光源以外の２種類の光源を有する光源装置を用いてもよい。また、固体光源以外の光源と固体光源とを有する光源装置を用いてもよい。
【００８９】
（７）上記実施形態１においては、透過型のプロジェクターを用いたが、本発明はこれに限定されるものではない。例えば、反射型のプロジェクターを用いてもよい。ここで、「透過型」とは、透過型の液晶表示装置等のように光変調手段としての光変調装置が光を透過するタイプであることを意味しており、「反射型」とは、反射型の液晶表示装置等のように光変調手段としての光変調装置が光を反射するタイプであることを意味している。反射型のプロジェクターにこの発明を適用した場合にも、透過型のプロジェクターと同様の効果を得ることができる。
【００９０】
（８）上記実施形態２においては、単一の時分割駆動方式の光変調装置としてマイクロミラー型光変調装置４０２を用いたが、本発明はこれに限定されるものではない。単一の時分割駆動方式の光変調装置として、透過型の液晶光変調装置や反射型の液晶光変調装置等を用いてもよい。
【００９１】
（９）上記実施形態１においては、インテグレーターロッド５０の入射面側に偏光変換装置をさらに備えていてもよい。偏光変換装置とは、一方の偏光成分と他方の偏光成分との両方を含む光を、偏光方向の揃った略１種類の直線偏光光に変換する偏光変換素子である。
【００９２】
（１０）上記実施形態１においては、３つの液晶光変調装置を用いたプロジェクターを例示して説明したが、本発明はこれに限定されるものではない。１つ、２つ又は４つ以上の液晶光変調装置を用いたプロジェクターにも適用可能である。
【００９３】
（１１）本発明は、投写画像を観察する側から投写するフロント投写型プロジェクターに適用する場合にも、投写画像を観察する側とは反対の側から投写するリア投写型プロジェクターに適用する場合にも可能である。
【００９４】
（１２）上記実施形態２においては、回転式カラーホイール２０２が赤色光通過領域２０４Ｒと、緑色光通過領域２０４Ｇと、青色光通過領域２０４Ｂとを有するが、本発明はこれに限定されるものではない。回転式カラーホイールが上記以外の色光通過領域をさらに有してもよい。また、複数の色光を通過させる領域（例えば、赤色光、緑色光及び青色光のすべてを通過させる白色通過領域）をさらに有してもよい。
【００９５】
（１３）上記実施形態１においては、制御部８００が青色光用の液晶光変調装置４００Ｂの変調量を制御するが、本発明はこれに限定されるものではない。例えば、赤色光用の光変調装置及び緑色光用の光変調装置を制御してもよく、また、全ての光変調装置を制御してもよい。
【符号の説明】
【００９６】
１０，１２，１４…照明装置、２０，２１…固体光源装置、２２…基台、２４…固体光源、２６…蛍光層、２８…封止部材、３０…コリメート光学系、３２…第１レンズ、３４…第２レンズ、４０…ロッドインテグレーター光学系、４２，４６…凸レンズ、４４，５０…インテグレーターロッド、４８…集光レンズ、６０…リレー光学系、６２，２６０，２７０…リレーレンズ、６４，２２０，２５２…部分透過ミラー、６６…フィールドレンズ、２００…色分離導光光学系、２０２…回転式カラーホイール、２０４Ｒ…赤色光通過領域、２０４Ｇ…緑色光通過領域、２０４Ｂ…青色光通過領域、２１０，２３０，２４０…ダイクロイックミラー、２５０…反射ミラー、２８０…カラーホイール駆動装置、４００Ｒ，４００Ｇ，４００Ｂ…液晶光変調装置、４０２…マイクロミラー型光変調装置、５００…クロスダイクロイックプリズム、６００…投写光学系、７００，７０２…光量モニター、７１０…第１光量モニター、７２０，７３０…第２光量モニター、８００，８０２，８０４…制御部、８１０…光源装置制御部、８２０，８２２…光変調装置制御部、１０００，１００２，１００４…プロジェクター、ＳＣＲ…スクリーン
【図１】
0005593703.tif 000002
【図２】
0005593703.tif 000003
【図３】
0005593703.tif 000004
【図４】
0005593703.tif 000005
【図５】
0005593703.tif 000006
【図６】
0005593703.tif 000007
【図７】
0005593703.tif 000008
【図８】
0005593703.tif 000009
【図９】
0005593703.tif 000010
【図１０】
0005593703.tif 000011
【図１１】
0005593703.tif 000012